(57)【要約】【課題】本発明は、ドライバＩＣ出力端子への外部ノイズの侵入を抑制する表示装置を提供することを目的とする。【解決手段】本発明に係る表示装置（例えば、アクティブマトリクス型液晶表示装置）の一実施例では、表示パネル３２と、表示パネル３２上に形成されたドライバＩＣ３１とを備えており、ドライバＩＣ３１出力部の未使用端子３３は、表示パネル３２内のＶＣＯＭ又はＧＮＤの固定電位に接続することを特徴とする。【選択図】図３
2009282272.tif 000002
【特許請求の範囲】
【請求項１】
表示パネルと、
前記表示パネル上に形成されたドライバＩＣとを備え、
前記ドライバＩＣ出力部の未使用端子は、前記表示パネル内の固定電位に接続することを特徴とする、
表示装置。
【請求項２】
表示パネルと、
テープキャリアパッケージ内に形成されたドライバＩＣとを備え、
前記ドライバＩＣ出力部の未使用端子は、前記テープキャリアパッケージ内の固定電位に接続することを特徴とする、
表示装置。
【請求項３】
表示パネルと、
テープキャリアパッケージ内に形成されたドライバＩＣとを備え、
前記ドライバＩＣ出力部の未使用端子は、前記表示パネル内の固定電位に接続することを特徴とする、
表示装置。
【請求項４】
表示パネルと、
前記表示パネル上に形成されたドライバＩＣと、
前記表示パネルに接続されたフレキシブルプリント基板とを備え、
前記ドライバＩＣ出力部の未使用端子は、前記フレキシブルプリント基板内の固定電位に接続することを特徴とする、
表示装置。
【請求項５】
表示パネルと、
テープキャリアパッケージ内に形成されたドライバＩＣと、
前記テープキャリアパッケージと接続されたプリント基板とを備え、
前記ドライバＩＣ出力部の未使用端子は、前記プリント基板内の固定電位に接続することを特徴とする、
表示装置。
【請求項６】
請求項１乃至請求項５のいずれかに記載の表示装置であって、
前記ドライバＩＣ出力部の未使用端子は、負荷を介して前記固定電位に接続することを特徴とする、
表示装置。
【請求項７】
請求項６に記載の表示装置であって、
前記負荷は、擬似抵抗及び擬似容量、又は抵抗及び容量のいずれかであることを特徴とする、
表示装置。
【請求項８】
請求項１乃至請求項７のいずれかに記載の表示装置であって、
前記ドライバＩＣ出力部の未使用端子は、極性毎に分離し、分離した各々の極性毎に固定電位に接続することを特徴とする、  
表示装置。
【請求項９】
請求項１乃至請求項８のいずれかに記載の表示装置であって、
前記表示装置は、アクティブマトリクス型であることを特徴とする、
表示装置。
【発明の詳細な説明】
【技術分野】
【０００１】
本発明は表示装置に関し、特にアクティブマトリクス型液晶表示装置に関する。
【背景技術】
【０００２】
従来の液晶表示装置は、液晶駆動回路のドライバＩＣの出力部の各出力に対して各々電流増幅用アンプを備えており、表示する解像度に対して、ドライバＩＣのトータル出力本数が一致しない場合には、ドライバＩＣ出力に未使用端子が存在していた。そのため、アンプの出力はＯＰＥＮ（無負荷）になっていた。
【発明の開示】
【発明が解決しようとする課題】
【０００３】
従来の液晶表示装置では、ドライバＩＣ出力部のアンプは、出力バッファ能力、スルーレート、周波数特性及び、位相マージン等の負荷の特性に適した設計がなされている。そのため、ドライバＩＣ出力がＯＰＥＮ（無負荷）の場合は、容量結合による信号ノイズ、或いは静電気ノイズの影響も受け易くなり、ドライバＩＣの誤動作及びドライバＩＣ破壊の要因となっていた。
【０００４】
本発明は、これらの問題を解決するためになされたもので、ドライバＩＣ出力端子への外部ノイズの侵入を抑制する表示装置を提供することを目的とする。
【課題を解決するための手段】
【０００５】
この発明の主題に係る表示装置は、表示パネルと、表示パネル上に形成されたドライバＩＣとを備え、ドライバＩＣ出力部の未使用端子は、表示パネル内の固定電位に接続することを特徴とする。
【発明の効果】
【０００６】
本発明の主題によれば、ドライバＩＣの未使用端子を表示パネル内の固定電位に接続するようにしたので、ドライバＩＣ出力端子への外部ノイズの侵入を抑制することができる。
【発明を実施するための最良の形態】
【０００７】
（実施の形態１）
本実施の形態の係るドライバＩＣ出力部のアンプについて説明する。図１はドライバＩＣ出力部のボルテージフォロワ回路のアンプの一例を示す概略構成図である。アンプは入力端子１１、負帰還用入力端子１２及び出力端子１３を備えており、入力端子１１からの入力信号に対して、出力信号の一部を負帰還用入力信号として戻すような構成となっている。
【０００８】
図２は、図１のアンプの内部構成図を示す一例である。アンプは、入力差動増幅部２１、電圧増幅部２２及び出力電流増幅部２３で構成されている。先ず、入力差動増幅部２１では、広い入力電圧での電流増幅を目的とした差動構成とされており、高速化のために出力振幅を小さくし、後段回路で電圧振幅を大きくするように設計されている。次に、その入力差動増幅部２１の後段にある電圧増幅部２２では、レベルシフトを行うと同時に電圧振幅を大きくする。これは回路インピーダンスを極めて高くとって、その回路インピーダンスに流れる電流の変化が少なくても大振幅を得られる方法により実現される。更に、その電圧増幅部２２の後段にある出力電流増幅部２３では、高インピーダンスで受けて低インピーダンスで出力へ送りだすための電流増幅を行う。
【０００９】
又、アンプの特性である出力バッファ能力、スルーレート、周波数特性及び位相マージンは、内部回路を構成するトランジスタ及びコンデンサにより決定され、駆動する負荷に適した設計がなされている。
【００１０】
図３及び図４は、本発明の実施の形態１に係る表示装置の構成を示す概略図である。図３に於ける表示装置は、表示パネル３２上に形成されたドライバＩＣ３１、例えばアクティブマトリクス型液晶パネルである表示パネル３２、ドライバＩＣ３１出力部の未使用端子３３、ＶＣＯＭ又はＧＮＤの固定電位に接続する結線部３４及び、表示部３５で構成されている。尚、ドライバＩＣ３１出力部の未使用端子３３は、ドライバＩＣ３１からの出力の際に使用されない端子のことである。
【００１１】
ドライバＩＣ３１には、画像信号や制御信号のディジタル信号及び、パネル画素への印加する際の基準となるアナログ電圧が入力される。そのドライバＩＣ３１内部には、シフトレジスタ、データレジスタ、ラッチ回路、レベルシフタ、Ｄ／Ａコンバータ及びボルテージフォロワアンプ（いずれも図示せず）を備えており、入力画像信号に応じたアナログ電圧を出力する。そして、表示パネル３２は、ドライバＩＣ３１から出力されるアナログ電圧をアレイ画素へ印加する。
【００１２】
ドライバＩＣ３１出力部の使用端子の一部は、表示部３５に接続されている。そして、ドライバＩＣ３１出力部の未使用端子３３は、表示パネル３２内の配線により表示パネル３２内のＶＣＯＭ又はＧＮＤの固定電位へ接続される。この様なＣＯＧ用ドライバＩＣの場合は、未使用端子３３を直接表示パネル３２内で接続する。
【００１３】
テープ品ドライバＩＣの場合は、テープキャリアパッケージ３６内の配線を介して表示パネル３２内で接続する。例えば、図４のテープ品ドライバＩＣを備える表示装置は、テープキャリアパッケージ３６内に形成されたドライバＩＣ３１、表示パネル３２、ドライバＩＣ３１出力部の未使用端子３３、ＶＣＯＭ又はＧＮＤの固定電位に接続する結線部３４及び、表示部３５で構成されている。
【００１４】
ドライバＩＣ３１は、テープキャリアパッケージ３６内に形成されており、テープキャリアパッケージ３６内に形成されたドライバＩＣ３１の出力端子側が表示パネル３２と接続されている。そして、ドライバＩＣ３１出力部の使用端子の一部は、表示部３５に接続されている。そして、ドライバＩＣ３１の未使用端子３３は、テープキャリアパッケージ３６内の配線を介して表示パネル３２内の固定電位に接続される。これにより、アンプの出力がＯＰＥＮ（無負荷）状態を避けることができる。
【００１５】
この様に、ドライバＩＣ３１出力部の未使用端子３３は、表示パネル３２内の固定電位に接続するので、ドライバＩＣ３１出力端子への外部ノイズの侵入を抑制できる。
【００１６】
（実施の形態２）
図５は、本発明の実施の形態２に係る表示装置の構成を示す概略図である。本実施の形態２に係る表示装置は、テープキャリアパッケージ３６内に形成されたドライバＩＣ３１、表示パネル３２、ドライバＩＣ３１出力部の未使用端子３３、ＶＣＯＭ又はＧＮＤの固定位置に接続する結線部３４及び、表示部３５で構成されている。
【００１７】
ドライバＩＣ３１は、テープキャリアパッケージ３６内に形成されており、このドライバＩＣ３１が形成されたテープキャリアパッケージ３６の出力端子側が表示パネル３２に接続されている。そして、ドライバＩＣ３１出力部の使用端子の一部は、表示部３５に接続されている。そして、ドライバＩＣ３１出力部の未使用端子３３は、ドライバＩＣ３１のテープキャリアパッケージ３６内でＶＣＯＭ又はＧＮＤの固定電位へ接続される。これにより、アンプの出力がＯＰＥＮ（無負荷）状態を避けることができる。
【００１８】
この様に、ドライバＩＣ３１出力部の未使用端子３３を、テープキャリアパッケージ３６内で固定電位へ接続することで、ドライバＩＣ３１出力端子への外部ノイズの侵入を抑制できる。
【００１９】
（実施の形態３）
図６は、本発明の実施の形態３に係る表示装置の構成を示す概略図である。本実施の形態３に係る表示装置は、表示パネル３２上に形成されたドライバＩＣ３１、表示パネル３２、ドライバＩＣ３１出力部の未使用端子３３、ＶＣＯＭ又はＧＮＤの固定電位に接続する結線部３４、表示部３５及び、液晶駆動用のフレキシブルプリント基板５１で構成されている。
【００２０】
ドライバＩＣ３１は、表示パネル３２上に形成されており、液晶駆動用のフレキシブルプリント基板５１にこの表示パネル３２が接続されている。そして、ドライバＩＣ３１出力部の使用端子の一部は、表示部３５に接続されている。そして、ドライバＩＣ３１出力部の未使用端子３３は、表示パネル３２内の配線を介して液晶駆動用のフレキシブルプリント基板５１内のＶＣＯＭ又はＧＮＤの固定電位へ接続される。これにより、アンプの出力がＯＰＥＮ（無負荷）状態を避けることができる。
【００２１】
この様に、ドライバＩＣ３１出力部の未使用端子３３を、フレキシブルプリント基板５１内の固定電位へ接続することで、ドライバＩＣ３１出力端子への外部ノイズの侵入を抑制できる。
【００２２】
（実施の形態４）
図７は、本発明の実施の形態４に係る表示装置の構成を示す概略図である。本実施の形態４に係る表示装置は、テープキャリアパッケージ３６内に形成されたドライバＩＣ３１、表示パネル３２、ドライバＩＣ３１出力部の未使用端子３３、ＶＣＯＭ又はＧＮＤの固定電位に接続する結線部３４、表示部３５、液晶駆動用のプリント基板６１で構成されている。尚、プリント基板６１は、ハード基板を想定しているがフレキシブル基板であっても良い。
【００２３】
ドライバＩＣ３１は、テープキャリアパッケージ３６内に形成されており、このテープキャリアパッケージ３６に形成されたドライバＩＣ３１の出力端子側は表示パネル３２に接続されている。又、テープキャリアパッケージ３６の入力端子側は、プリント基板６１に接続されている。又、ドライバＩＣ３１出力部の使用端子の一部は、表示部３５に接続されている。ドライバＩＣ３１出力部の未使用端子３３は、液晶駆動用のプリント基板６１内のＶＣＯＭ又はＧＮＤの固定電位に接続されている。これにより、アンプの出力がＯＰＥＮ（無負荷）状態を避けることができる。
【００２４】
この様に、ドライバＩＣ３１出力部の未使用端子３３をドライバＩＣ３１のテープキャリアパッケージ３６内の配線を介して液晶駆動用のプリント基板６１内の固定電位へ接続することで、ドライバＩＣ３１出力端子への外部ノイズの侵入を抑制できる。
【００２５】
（実施の形態５）
ドライバＩＣ出力がＯＰＥＮ（無負荷）の場合、更にアンプの位相マージン不足による異常発振、或いはリンキングノイズが発生し易いという問題もあった。より詳しくは、アンプは、ループ・ゲインに於いて、位相が１８０℃ずれた時に利得が１以上あると異常発振するため、アンプ出力がＯＰＥＮ（無負荷）の場合は、リンキングを収束させる負荷及びノイズを除去する安定化容量がないことから、異常発振の発生、或いは内部回路の誤動作を引き起こす可能性が高くなる。
【００２６】
そこで、本実施の形態５では、そのリンキングノイズ及び、外部ノイズに対する改善策を説明する。図８は、本発明の実施の形態５に係る表示装置の構成を示す概略図である。図８（ａ）の表示装置は、表示パネル３２上に形成されたドライバＩＣ３１、表示パネル３２、ドライバＩＣの未使用端子３３、ＶＣＯＭ又はＧＮＤの固定電位に接続する結線部３４、表示部３５、液晶駆動用のフレキシブルプリント基板５１及び、当該フレキシブルプリント基板５１内の負荷７１で構成されている。又、負荷７１は、例えば擬似抵抗及び擬似容量、又は抵抗及び容量である。尚、擬似抵抗及び擬似容量は、例えばフレキシブルプリント基板５１内の余っている配線（図示せず）及び、フレキシブルプリント基板５１内の余っているキャパシタ電極（図示せず）等を意味する。
【００２７】
ドライバＩＣ３１は、表示パネル３２上に形成されており、表示パネル３２は液晶駆動用のフレキシブルプリント基板５１と接続されている。又、ドライバＩＣ３１出力部の使用端子の一部は、表示部３５に接続されている。そして、ドライバＩＣ３１出力部の未使用端子３３は、液晶駆動用のフレキシブルプリント基板５１内の負荷７１を介して、当該フレキシブルプリント基板５１内のＶＣＯＭ又はＧＮＤの固定電位に接続されている。これにより、アンプの出力がＯＰＥＮ（無負荷）状態を避けることができ、負荷７１によりリンギングノイズを抑制できる。
【００２８】
尚、図８（ａ）に於いては、表示パネル３２上にドライバＩＣ３１が形成されており、未使用端子３３を液晶駆動用のフレキシブルプリント基板５１内の負荷７１を介して固定電位に接続する例を示したが、図３の変形例として、ドライバＩＣ３１は表示パネル３２上に形成されており、未使用端子３３を表示パネル３２内の負荷（図示せず）を介して、表示パネル３２内の固定電位に接続するようにしても同様の効果が得られる。但し、負荷は、例えば擬似抵抗及び擬似容量、又は抵抗及び容量である。尚、擬似抵抗及び擬似容量は、例えば表示パネル３２内の余っている配線（図示せず）及び、表示パネル３２内の余っているキャパシタ電極（図示せず）等を意味する。
【００２９】
図８（ｂ）の表示装置は、テープキャリアパッケージ３６内に形成されたドライバＩＣ３１、表示パネル３２、ドライバＩＣ３１出力部の未使用端子３３、ＶＣＯＭ又はＧＮＤの固定電位に接続する結線部３４、表示部３５、液晶駆動用のプリント基板６１及び、当該プリント基板６１内の負荷７２で構成されている。但し、負荷７２は、例えば擬似抵抗及び擬似容量、又は抵抗及び容量である。尚、擬似抵抗及び擬似容量は、例えばテープキャリアパッケージ３６内の余っている配線（図示せず）及び、テープキャリアパッケージ３６内の余っているキャパシタ電極（図示せず）等を意味する。
【００３０】
ドライバＩＣ３１は、テープキャリアパッケージ３６内に形成されており、このテープキャリアパッケージ３６に形成されたドライバＩＣ３１の出力端子側は、表示パネル３２に接続されている。又、テープキャリアパッケージ３６内に形成されたドライバＩＣ３１の入力端子側は、液晶駆動用のプリント基板６１に接続されている。又、ドライバＩＣ３１出力部の使用端子の一部は、表示部３５に接続されている。そして、ドライバＩＣ３１の未使用端子３３は、液晶駆動用のプリント基板６１内の負荷７２を介して、液晶駆動用のプリント基板６１内のＶＣＯＭ又はＧＮＤの固定電位に接続されている。これにより、アンプの出力がＯＰＥＮ（無負荷）状態を避けることができ、負荷７２によりリンギングノイズを抑制できる。
【００３１】
尚、図８（ｂ）に於いては、テープキャリアパッケージ３６内にドライバＩＣ３１があり、未使用端子３３を液晶駆動用のプリント基板６１内の負荷７２を介して固定電位に接続する例を示したが、図４の変形例として、ドライバＩＣ３１はテープキャリアパッケージ３６内に形成されており、未使用端子３３を表示パネル３２内の負荷（図示せず）を介して、表示パネル３２内の固定電位に接続する、又は、図５の変形例として、ドライバＩＣ３１はテープキャリアパッケージ３６内に形成されており、未使用端子３３をテープキャリアパッケージ３６内の負荷（図示せず）を介して、テープキャリアパッケージ３６内の固定電位に接続するようにしても同様の効果が得られえる。但し、負荷（図示せず）は、例えば擬似抵抗及び擬似容量、又は抵抗及び容量である。尚、擬似抵抗及び擬似容量は、例えば表示パネル３２内、又はテープキャリアパッケージ３６内の余っている配線（図示せず）及び、表示パネル３２内又は、テープキャリアパッケージ３６内の余っているキャパシタ電極（図示せず）等を意味する。
【００３２】
この様に、ドライバＩＣ３１出力部の未使用端子３３は、表示パネル３２内、又はテープキャリアパッケージ３６内、又はフレキシブルプリント基板５１内、又はプリント基板６１内の負荷を介して固定電位へ接続することで、ドライバＩＣ３１出力のリンキングノイズ及び、ドライバＩＣ３１出力端子への外部ノイズの侵入を抑制できる。
【００３３】
尚、リンキングノイズは、擬似抵抗及び擬似容量、又は抵抗及び容量を介することにより抑制できる。又、擬似抵抗及び擬似容量を使用することにより素子数を少なくできる。
【００３４】
（実施の形態６）
図９は、本発明の実施の形態に係る表示装置の構成を示す概略図である。本実施の形態６に係る表示装置は、表示パネル３２上に形成されたドライバＩＣ３１、表示パネル３２、ドライバＩＣ３１出力ラインの負荷７１、ドライバＩＣ３１出力部の未使用端子３３と負荷７１を介してＶＣＯＭ又はＧＮＤの固定電位に接続する結線部３４及び、フレキシブルプリント基板５１を備えている。但し、負荷７１は、例えば擬似抵抗及び擬似容量、又は抵抗及び容量である。尚、擬似抵抗及び擬似容量は、例えばフレキシブルプリント基板５１内の余っている配線（図示せず）及び、フレキシブルプリント基板５１内の余っているキャパシタ電極（図示せず）等を意味する。
【００３５】
ドライバＩＣ３１は、表示パネル３２上に形成されており、その表示パネル３２はフレキシブルプリント基板５１と接続されている。又、ドライバＩＣ３１出力部の使用端子の一部は、表示部３５に接続されている。そして、ドライバＩＣ３１出力部の未使用端子３３は極性毎に分離し、分離した各々の極性毎に結線し、結線した極性毎にフレキシブルプリント基板５１内の負荷７１を介して、フレキシブルプリント基板５１内のＶＣＯＭ又はＧＮＤの固定電位に接続される。
【００３６】
図９に於いて、極性毎に分離された表示パネル３２上にあるドライバＩＣ３１出力部の未使用端子３３の各々がフレキシブルプリント基板５１内の負荷７１を介して、フレキシブルプリント基板５１内の固定電位に接続される例について説明したが、図３の変形例として、極性毎に分離された表示パネル３２内にあるドライバＩＣ３１出力部の未使用端子３３の各々が表示パネル３２内の負荷（図示せず）を介して、表示パネル３２内の固定電位に接続されても同様の効果が得られる。但し、負荷（図示せず）は、例えば擬似抵抗及び擬似容量、又は抵抗及び容量である。尚、擬似抵抗及び擬似容量は、例えば表示パネル３２内の余っている配線（図示せず）及び、表示パネル３２内の余っているキャパシタ電極（図示せず）等を意味する。
【００３７】
又、図４の変形例として、極性毎に分離されたテープキャリアパッケージ３６内にあるドライバＩＣ３１出力部の未使用端子３３の各々が表示パネル３２内の負荷（図示せず）を介して、表示パネル３２内の固定電位に接続しても同様の効果が得られる。但し、負荷（図示せず）は、例えば擬似抵抗及び擬似容量、又は抵抗及び容量である。尚、擬似抵抗及び擬似容量は、例えば表示パネル３２内の余っている配線（図示せず）、及び表示パネル３２内の余っているキャパシタ電極（図示せず）等を意味する。
【００３８】
又、図５の変形例として、極性毎に分離されたテープキャリアパッケージ３６内にあるドライバＩＣ３１出力部の未使用端子３３がテープキャリアパッケージ３２内の負荷（図示せず）を介して、テープキャリアパッケージ３２内の固定電位に接続しても同様の効果が得られる。但し、負荷（図示せず）は、例えば擬似抵抗及び擬似容量、又は抵抗及び容量である。尚、擬似抵抗及び擬似容量は、例えばテープキャリアパッケージ３６内の余っている配線（図示せず）及び、テープキャリアパッケージ３６内の余っているキャパシタ電極（図示せず）等を意味する。
【００３９】
又、図７の変形例として、極性毎に分離されたテープキャリアパッケージ３６内にあるドライバＩＣ３１出力部の未使用端子３３の各々がプリント基板６１内の負荷（図示せず）を介して、プリント基板６１内の固定電位に接続しても同様の効果が得られる。但し、負荷（図示せず）は、例えば擬似抵抗及び擬似容量、又は抵抗及び容量である。尚、擬似抵抗及び擬似容量は、例えばプリント基板６１内の余っている配線（図示せず）及び、プリント基板６１内の余っているキャパシタ電極（図示せず）等を意味する。
【００４０】
この様に、ドライバＩＣ３１出力部の未使用端子３３は、極性毎に分離し、分離した各々の極性毎に、表示パネル３２内、又はテープキャリアパッケージ３６内、又はフレキシブルプリント基板５１内、又はプリント基板６１内で負荷を介して固定電位に接続することで、ドライバＩＣ３１出力のリンキングノイズ及び、ドライバＩＣ３１出力端子への外部ノイズの侵入を抑制できる。
【００４１】
なお、上記の実施の形態におけるドライバＩＣ３１は、ＴＣＰ（テープキャリアパッケージ）方式の実装方法を例示して説明したが、本発明はこれに限るものではなく、ＣＯＦ（チップオンフレキ）方式の実装方法においても同様に実施できる。
【００４２】
また、上記の実施の形態１乃至６においては、表示装置として液晶表示装置を例示して説明したが、ドライバＩＣをＴＣＰ方式またはＣＯＦ方式にて実装する表示装置であれば、特に液晶表示装置に限定されるわけではなく、例えば、ＥＬ(エレクトロルミネッセンス)表示装置あるいはＰＤＰ（プラズマディスプレイ）表示装置等においても、同様に実施できる。
【図面の簡単な説明】
【００４３】
【図１】ドライバＩＣ内のアンプの概略構成図である。
【図２】ドライバＩＣ内のアンプの内部構成図である。
【図３】本発明の実施の形態１に係る表示装置の概略図である。
【図４】本発明の実施の形態１に係る表示装置の概略図である。
【図５】本発明の実施の形態２に係る表示装置の概略図である。
【図６】本発明の実施の形態３に係る表示装置の概略図である。
【図７】本発明の実施の形態４に係る表示装置の概略図である。
【図８】本発明の実施の形態５に係る表示装置の概略図である。
【図９】本発明の実施の形態６に係る表示装置の概略図である。
【符号の説明】
【００４４】
３１  ドライバＩＣ、３２  表示パネル、３３  ドライバＩＣ出力部の未使用端子、３４  ドライバＩＣ出力部の未使用端子とＶＣＯＭ又はＧＮＤの固定位置に接続する結線部、３５  表示部、３６  テープキャリアパッケージ、５１  フレキシブルプリント基板、６１  プリント基板、７１  フレキシブルプリント基板内の負荷、７２  プリント基板内の負荷。
【図１】
2009282272.tif 000003
【図２】
2009282272.tif 000004
【図３】
2009282272.tif 000005
【図４】
2009282272.tif 000006
【図５】
2009282272.tif 000007
【図６】
2009282272.tif 000008
【図７】
2009282272.tif 000009
【図８】
2009282272.tif 000010
【図９】
2009282272.tif 000011